(57)【要約】【課題】支線に蔓性植物が絡みつきながら昇っていることを確実に報知することが可能な蔓性植物検知装置を提供すること。【解決手段】一端部が電柱に固定され他端部が地面に固定されて斜めに延びる支線に装着される筒状のケース体１０と、ケース体１０の内部に、湾曲可能に設けられた光ファイバ２０と、光ファイバ２０の一端部に光を入力する発光部５２と、光ファイバ２０の他端部から出力される光を受光して光電変換する受光部５４と、受光部５４の出力が予め設定した値より低くなった場合に検知信号を出力する検知部５６と、検知部５６から出力された検知信号に電柱を特定するための情報を付加して外部出力する通信部５８と、を備え、ケース体１０は、片方の端部に開口１３を有し、開口１３は、支線にケース体１０が装着された場合に地面側に向けられる。【選択図】図１
2016021788.tif 000002
【特許請求の範囲】
【請求項１】
一端部が電柱に固定され他端部が地面に固定されて斜めに延びる支線に装着される筒状のケース体と、
当該ケース体の内部に設けられた湾曲自在の光ファイバと、
前記光ファイバの一端部に光を入力する発光部と、
前記光ファイバの他端部から出力される光を受光し、光電変換を行って受光量に応じた電気信号を出力する受光部と、
前記受光部の出力が予め設定した値より低くなった場合に検知信号を出力する検知部と、
当該検知部から出力された検知信号に前記電柱を特定するための情報を付加して外部出力する通信部と、を備え
前記ケース体は、少なくとも一方の端部に開口を有し、当該開口は、前記支線に前記ケース体が装着された場合に地面側に向けられることを特徴とする蔓性植物検知装置。
【請求項２】
前記ケース体は、前記端部に、前記開口を拡大する拡径部を有することを特徴とする請求項１記載の蔓性植物検知装置。
【請求項３】
前記ケース体は、透光性を有する部材によって構成されていることを特徴とする請求項１又は２記載の蔓性植物検知装置。
【発明の詳細な説明】
【技術分野】
【０００１】
本発明は、電線の支線に絡みついた蔓性植物を検知する蔓性植物検知装置に関する。
【背景技術】
【０００２】
従来より、葛などの蔓性植物が生えている場所に立設される電柱においては、その電柱を支える支線に蔓性植物が巻付いていくことが多い。この蔓性植物が、支線に絡みつきながら昇り、高圧配電線まで至ると、地絡事故を起こしたりまた架線作業に支障をきたしたりするおそれがある。このため、従来、支線に蔓巻防止装置を取り付けることにより、蔓性植物が電柱まで到達することを防止している。
【０００３】
従来のこの種の技術としては、特許文献１に記載された技術がある。特許文献１によれば、中心軸線上に支線を配置して装着される蔦などの巻き上がり防止装置であって、短筒状の周壁部と、周壁部の軸線方向の一方側の端部を塞ぐ底部と、周壁部の軸線方向の他方側の端部から外方に突出し、全周に延びるつば部とを含む、蔦などの巻き上がり防止装置について開示されている。
【先行技術文献】
【特許文献】
【０００４】
【特許文献１】特開２００３−３１４０８４号公報
【発明の概要】
【発明が解決しようとする課題】
【０００５】
特許文献１に記載されたような巻き上がり防止装置を支線に取り付けることにより、蔓性植物が支線に絡みつきながら昇っていくことを防止することができる。しかし、作業員が支線に絡みついた蔓性植物の除去や電柱周囲の草刈等を行わずにそのまま放置すると、いずれ蔓性植物が巻き上がり防止装置を乗り越え、再び支線に絡みついて支線を昇っていくおそれがある。そこで、作業員が電柱を定期的に巡視することによって、支線の状態を確認することが考えらえる。しかし、その場合、蔓性植物が絡みついていない支線も巡視することになるため効率が良くない、という問題点がある。
【０００６】
このような問題点については、支線に蔓性植物を検知するために検知装置を設け、この検知装置が蔓性植物を検知した旨を、通信ネットワークを介して電力供給会社に送信することによって、作業員の巡視にかかる手間を省略することができる。しかし、検知装置は、支線上に絡みついて成長した蔓性植物を確実に検知できるような構造であり、しかも、蔓性植物以外の要因で動作しないものであることが望まれる。
【０００７】
本発明は、このような問題点を解決し、支線に絡みつきながら昇っている蔓性植物を確実に検知するとともに、作業員等に報知することが可能な蔓性植物検知装置を提供することを目的とする。
【課題を解決するための手段】
【０００８】
前記目的を達成するため、本発明は、次に記載する構成を備えている。
【０００９】
（１）  一端部が電柱に固定され他端部が地面に固定されて斜めに延びる支線に装着される筒状のケース体と、当該ケース体の内部に設けられた湾曲自在の光ファイバと、前記光ファイバの一端部に光を入力する発光部と、前記光ファイバの他端部から出力される光を受光して光電変換する受光部と、前記受光部の出力が予め設定した値より低くなった場合に検知信号を出力する検知部と、当該検知部から出力された検知信号に前記電柱を特定するための情報を付加して外部出力する通信部と、を備え、前記ケース体は、片方の端部に開口を有し、当該開口は、前記支線に前記ケース体が装着された場合に地面側に向けられることを特徴とする蔓性植物検知装置。
【００１０】
（１）によれば、蔓性植物が支線に絡みつきながら昇って行き、ケース体内に入り込むことによって、ケース体内の光ファイバの中央部が湾曲する。光ファイバが湾曲すると受光部における受光量が低下するため、受光部からの電気出力が低下する。そして、検知部が、受光部の電気出力が予め設定した値より低くなった場合に検知信号を出力し、この検知信号を通信部が電柱を特定するための情報を付加して外部出力する。通信部から送信された情報を電力供給会社が受信することによって、電力供給会社側で蔓性植物が絡みついている支線に対応する電柱を把握することが可能になり、蔓性植物の除去等の措置を早急に行うことが可能になる。
【００１１】
（２）  （１）において、前記ケース体は、前記端部に、前記開口を拡大する拡径部を有することを特徴とする蔓性植物検知装置。
【００１２】
（２）によれば、支線に絡みつきながら昇って行った蔓性植物を、ケース体内に誘引することが可能になる。
【００１３】
（３）  （１）、（２）において、前記ケース体は、透光性を有する部材によって構成されていることを特徴とする蔓性植物検知装置。
【００１４】
（３）によれば、ケース体の内部が暗い場合には、蔓性植物がケース体内に入ることを避けるおそれがあるが、ケース体は透光性を有するためにケース体の内部が明るくなるため、蔓性植物がケース体内に入るようになる。
【発明の効果】
【００１５】
本発明によれば、支線に蔓性植物が絡みつきながら昇っていることを確実に報知することが可能な蔓性植物検知装置を提供することが可能になる。
【図面の簡単な説明】
【００１６】
【図１】本発明の一実施形態における蔓性植物検知装置１の使用状態を示す説明図である。
【図２】蔓性植物検知装置１の外観を示す斜視図である。
【図３】蔓性植物検知装置１の内部構成を示す正面図である。
【図４】ロック部３０の構成を示す正面図である。
【図５】検知ユニット５０の概略構成を示す説明図である。
【図６】蔓性植物検知装置１の内部に蔓性植物が侵入した状態を示す図である。
【発明を実施するための形態】
【００１７】
以下、本発明の実施形態について、図面を参照しながら詳細に説明する。
【００１８】
図１は、本発明の一実施形態における蔓性植物検知装置１の使用状態を示す説明図である。図１に示すように、蔓性植物検知装置１は、電柱２００を支持するために設けられる支線２１０に設置され、蔦や葛のような蔓性植物が支線２１０に絡みついて昇っていった場合に、その蔓性植物を検知するものである。
【００１９】
図２は、蔓性植物検知装置１の外観を示す斜視図、図３は、蔓性植物検知装置１の内部構成を示す正面図である。蔓性植物検知装置１は、ケース体１０と、光ファイバ２０と、ロック部３０と、検知ユニット５０と、を備えている。
【００２０】
［ケース体の構造］
ケース体１０は、内部に、蔓性植物の検知に用いられる光ファイバ２０を収納するものであり、円筒部１２と、拡径部１４と、収納部１６と、を備えている。ケース体１０は、透光性を有する部材によって構成されている。円筒部１２は、有底の円筒形状であり、一方の端部が円板状の底板１２ａによって閉鎖され、他方の端部に開口１３が形成されている。また、底板１２ａの中心に、支線２１０を通すための孔部１２ｂが形成されている。
【００２１】
拡径部１４は、截頭円錐形の筒状に形成されており、円筒部１２の開口１３を拡径させている。
収納部１６は、円筒部１２の一部を外側に突出するように形成されており、内部に、検知ユニット５０を収納するためのスペースが形成されている。収納部１６は、円筒部１２における開口１３寄りに形成されている。
【００２２】
次に、ケース体１０の詳細な構成について、図３を参照しながら説明する。
ケース体１０は、一対の半円筒部材１０２、１０４と、蝶番部１０６とからなる。半円筒部材１０２は、半円筒部１０２ａと、半円筒部１０２ａの一端部を覆うように形成された板部１０２ｂと、半円筒部１０２ａの他端部から斜め方向に広がるように形成された半拡径部１０２ｃと、を備えている。板部１０２ｂは半円形状であり、中心に半円形状の凹部が形成されている。半拡径部１０２ｃは、中空の截頭円錐を、軸方向に沿って二分割した形状である。
【００２３】
半円筒部材１０４も、半円筒部材１０２と同様に、半円筒部１０４ａと、半円筒部１０４ａの一端部を覆うように形成された板部１０４ｂと、半円筒部１０４ａの他端部から斜め方向に広がるように形成された半拡径部１０４ｃと、によって構成されている。板部１０４ｂは半円形状であり、中心に半円形状の凹部が形成されている。半拡径部１０４ｃは、中空の截頭円錐を、軸方向に沿って二分割した形状である。
【００２４】
蝶番部１０６は、半円筒部材１０２と半円筒部材１０４とを開閉自在に連結するものである。ケース体１０は、半円筒部材１０２の一方の長辺の縁部と半円筒部材１０４の一方の長辺の縁部とを蝶番部１０６によって連結した構成である。このため、ケース体１０は開閉自在である。
【００２５】
また、半拡径部１０２ｃにおける一方の長辺側の端部１０２ｄは、折り曲げ自在に形成されている。同様に、半拡径部１０４ｃにおける一方の長辺側の端部１０４ｄも、折り曲げ自在に形成されている。また、折り曲げ自在に形成された半拡径部１０２ｃの端部１０２ｄと、半拡径部１０４ｃの端部１０４ｄとは、例えば、粘着テープによって互いに開閉自在に連結されている。これにより、半円筒部材１０２と半円筒部材１０４とが開かれた場合に、端部１０２ｄ、１０４ｄが折り畳まれ、半円筒部材１０２と半円筒部材１０４とが閉じられた場合に、端部１０２ｄ、１０４ｄが開かれる。
【００２６】
ケース体１０は、半円筒部材１０２と半円筒部材１０４とを閉じ、両者を連結することによって組み立てられる。この時、一端側において板部１０２ｂと板部１０４ｂとの組合せによって底板１２ａ及び孔部１２ｂが形成される。また、他端側においては半拡径部１０２ｃと半拡径部１０４ｃとの組合せによって拡径部１４が形成される。
【００２７】
また、図２に示すように、半円筒部材１０２は、他方の長辺側に突出部１０２ｅを更に備えている。この突出部１０２ｅは、半円筒部１０２ａの一部と、突出部１０２ｅの外壁とによって囲まれた凹状の収納スペースを備えている。半円筒部材１０４も、半円筒部材１０２と同様に、他方の長辺側に突出部１０４ｅを更に備えている。この突出部１０４ｅは、半円筒部１０４ａの一部と、突出部１０４ｅの外壁とによって囲まれた凹状の収納スペースを備えている。
【００２８】
また、突出部１０２ｅの内側における半円筒部１０２ａの他方の長辺には切欠１０２ｆが２箇所形成されている。同様に、半円筒部１０４ａの他方の長辺には切欠１０４ｆが２箇所形成されている。詳細については後述するが、切欠１０２ｆ、１０４ｆには、光ファイバ２０の両端部が嵌入される。
【００２９】
そして、半円筒部材１０２と半円筒部材１０４とが組み合わされることによって、突出部１０２ｅと突出部１０４ｅとが一体となり、収納部１６が形成される。収納部１６の内部には、突出部１０２ｅ及び突出部１０４ｅの収納スペースの組み合せによって閉スペースが形成される。
【００３０】
半円筒部材１０２の内部には、３つのリブ１０８と、３つのリブ１０９とが立設されている。３つのリブ１０８は、半円筒部１０２ａの一端部に、軸方向に一定の間隔を開けて配置されている。３つのリブ１０９は、半円筒部１０２ａの他端部に、軸方向に一定の間隔を開けて配置されている。３つのリブ１０８と、３つのリブ１０９とは、互いに平行である。３つのリブ１０８の先端部の中央には、凹部１０８ａが形成されている。３つのリブ１０９の先端部の中央には、凹部１０９ａが形成されている。３つの凹部１０８ａ及び３つの凹部１０９ａは同形であり、半円筒部材１０２を軸方向した場合、３つの凹部１０８ａ及び３つの凹部１０９ａがそれぞれ一致する。
【００３１】
半円筒部材１０４の内部には、３つのリブ１１０と、３つのリブ１１１とが立設されている。３つのリブ１１０は、半円筒部１０４ａの一端部に、軸方向に一定の間隔を開けて配置されている。３つのリブ１１１は、半円筒部１０４ａの一端部に、軸方向に一定の間隔を開けて配置されている。３つのリブ１１０と、３つのリブ１１１とは、互いに平行である。３つのリブ１１０の先端部の中央には、凹部１１０ａが形成されている。３つのリブ１１１の先端部の中央には、凹部１１１ａが形成されている。３つの凹部１１０ａ及び３つの凹部１１１ａは同形であり、半円筒部材１０４を軸方向した場合、３つの凹部１１０ａ、３つの凹部１１１ａがそれぞれ一致する。
【００３２】
そして、半円筒部材１０２と半円筒部材１０４とが組み合わされることによって、凹部１０８ａ、１０９ａと凹部１１０ａ、１１１ａとが組み合わされてなる孔部が形成される。これらの孔部及び孔部１２ｂは、円筒部１２の中心軸上に位置している。また、開口１３を軸方向視した場合、組み合わされた３つのリブ１１０と３つのリブ１１１の両側部が開放されており、蔓性植物は、この開放部分からケース体１０の内部に進入可能である。
【００３３】
また、半円筒部材１０２の内部における３つのリブ１０８の近傍に凸部１２０が形成されており、この凸部１２０の先端面にロック部３０が固定される。また、この凸部１２０には、光ファイバ２０を係止するための切り起こし（図示せず）が形成されている。
【００３４】
［ロック部の構造］
図４は、ロック部３０の構成を示す正面図である。図４に示すように、ロック部３０は、一対の回動部材３２、３４と、回転軸３６、３８と、ベース板４０と、を備えた構成である。ロック部３０は、蔓性植物検知装置１が支線２１０に装着された状態において、蔓性植物検知装置の地面側への移動を規制し、電柱２００側への移動を許容するものである。
【００３５】
回動部材３２は、偏心体３２ａと、回転伝達部材に相当するセクタ歯車３２ｂとによって構成されている。偏心体３２ａは、基端部が円柱状の形成されており、偏心体３２ａの基端部３２ｃの中心には、回転軸３６が挿通される貫通孔（図示せず）が形成されている。また、基端部３２ｃの一部に回転軸３６に対して直角方向側に突出する突出部３２ｄが形成されている。この突出部３２ｄは、回転軸３６に対して直角方向から逸れるように曲がって突出している。言い換えれば、偏心体３２ａは略勾玉形状をなしている。
【００３６】
セクタ歯車３２ｂは、回動部材３２におけるベース板４０に対向する面に固定される扇方をした板状の歯車である。セクタ歯車３２ｂは、扇型の円弧部分に歯が形成されており、この扇型の中心には、貫通孔が形成されている。セクタ歯車３２ｂは偏心体３２ａに対して、貫通孔同士が一致するように回動部材３２に固定される。
【００３７】
回動部材３４は、偏心体３４ａと、セクタ歯車３４ｂとによって構成されている。回動部材３４は、回動部材３２を鏡に映したように反転させた形状であり、偏心体３４ａ及びセクタ歯車３４ｂは、偏心体３２ａ及びセクタ歯車３２ｂを反転させた形状である。
【００３８】
回転軸３６は、回動部材３２の基端部３２ｃに形成された貫通孔（図示せず）に挿通され、回動部材３２を回動自在に軸支する部材である。回転軸３８は、回動部材３４の基端部３４ｃに形成された貫通孔（図示せず）に挿通され、回動部材３２を回動自在に軸支する部材である。ベース板４０は、略ホームベース形をした板状部材である。
【００３９】
回動部材３２、３４は、ベース板４０の板面上に回転軸３６、３８によって設置される。回動部材３２と回動部材３４とは、ベース板４０の仮想二等分線を挟むように設置される。偏心体３２ａと偏心体３４ａ及びセクタ歯車３２ｂとセクタ歯車３４ｂとは、ベース板４０の仮想二等分線に対して線対称であり、セクタ歯車３２ｂとセクタ歯車３４ｂとは、ベース板４０の仮想二等分線上で歯合する。このため、回動部材３２と回動部材３４とは連動する。すなわち、例えば回動部材３２を回動させるとその動作がセクタ歯車３２ｂ及びセクタ歯車３４ｂを介して回動部材３４に伝達されて、回動部材３４が回動部材３２とは反対方向に回動する。このため、偏心体３２ａの突出部３２ｄの先端と、偏心体３４ａの突出部３４ｄの先端とは、回動部材３２、３４の回動によって当接したり離間したりするようになる。
【００４０】
また、回動部材３２の突出部分の先端と回動部材３４の突出部分の先端とが、ベース板４０の仮想二等分線上で当接した際、この当接位置は、二本の回転軸３６、３８同士を結ぶ線とベース板４０の仮想二等分線との交点に対してリブ１０９（図３参照）側に変位した位置に設定されている。そして、半円筒部材１０２と半円筒部材１０４とが組み合わされた場合、回動部材３２の突出部分の先端と回動部材３４の突出部分の先端との当接位置が、円筒部１２の中心軸上に位置している。
【００４１】
なお、回動部材３２は、図示しないばね部材によって、偏心体３２ａの突出部３２ｄの先端と偏心体３４ａの突出部３２ｄの先端が、ベース板４０の仮想二等分線に近づく方向に回動するように付勢されている。このため、突出部３２ｄの先端と突出部３４ｄの先端が当接した状態で維持される。
【００４２】
ロック部３０が支線２１０に取り付けられた状態、すなわち蔓性植物検知装置１が支線２１０に装着された状態においては、支線２１０が突出部３２ｄの先端と突出部３４ｄの先端との間に挟まった状態で維持される。
【００４３】
作業員が、ケース体１０（蔓性植物検知装置１）を支線２１０の上方に移動させる場合には、突出部３２ｄ、３４ｄの先端部が支線２１０に沿って摺動することにより、突出部３２ｄ、３４ｄの先端部が支線２１０から離れる方向に回動する。これにより、突出部３２ｄ、３４ｄの先端が下方に移動して突出部３２ｄ、３４ｄの先端の間の幅が大きくなるため、支線２１０の上方へのケース体１０の移動が許容される。
【００４４】
また、ケース体１０を支線２１０の下方に移動させる場合、突出部３２ｄ、３４ｄの先端部が支線２１０の移動に抗する方向から摺動することにより、突出部３２ｄ、３４ｄの先端部が支線２１０に近づく方向に回動する。これにより、突出部３２ｄ、３４ｄの先端が上方に移動して突出部３２ｄ、３４ｄの先端の間の幅が狭くなるため、支線２１０の下方へのケース体１０の移動は規制される。このため、ケース体１０が支線２１０の所定位置に位置付けられた場合、その位置より下がることがなくなる。
【００４５】
［光ファイバの配置］
また、図２において、光ファイバ２０は、ケース体１０の内部で８の字が形成できる程度の長さを備えている。光ファイバ２０の両端部は、半円筒部１０２ａの切欠１０２ｆ、１０２ｆと半円筒部１０４ａの切欠１０４ｆ、１０４ｆとの組合せによって形成される孔部に嵌入される。光ファイバ２０の中央部は、円筒部１２の内部に配置される。
【００４６】
［検知ユニットの構成］
検知ユニット５０は、各種の部品や回路を基板（図示せず）上に実装してなるものであり、この基板は半円筒部材１０２の突出部１０２ｅ内に設置される。
図５は、検知ユニット５０の概略構成を示す説明図である。検知ユニット５０は、発光部５２と、受光部５４と、検知部５６と、通信部５８と、電源部６０と、を備えている。
【００４７】
発光部５２は、例えばＬＥＤからなり、突出部１０２ｅの内部に、光ファイバ２０の一端面に対向するように設置される。受光部５４は、光電変換素子からなり、突出部１０２ｅの内部に、光ファイバ２０の他端面に対向するように設置される。発光部５２からの光が、光ファイバ２０によって受光部５４に送られる。受光部５４は、光ファイバ２０の他端面から出力される光を受光し、受光量に応じた電気エネルギーの信号を出力する。
【００４８】
検知部５６は、受光部５４の出力を監視し、出力が所定値以下になった場合に検知信号を発生するものである。通信部５８は、検知信号に電柱２００を特定するための情報を付加して外部出力するものである。
【００４９】
電源部６０は、例えば、電池からなり、発光部５２、受光部５４、検知部５６及び通信部５８に電源を供給する。
【００５０】
そして、半円筒部材１０２と半円筒部材１０４とが組み合わされることによって、検知ユニット５０は収納部１６の内部に収納され、光ファイバ２０が円筒部１２の内部に収納される。
【００５１】
［蔓性植物検知装置の装着作業］
次に、蔓性植物検知装置１を支線２１０に装着する作業について説明する。
まず、作業員は、ケース体１０の半円筒部材１０２と半円筒部材１０４とを開き、光ファイバ２０の片方の端部を切欠１０２ｆから抜き取る。次に、支線２１０に少なくとも１回巻き付けてから、再び光ファイバ２０の片方の端部を切欠１０２ｆに嵌入する。更に光ファイバ２０を、ロック部３０が固定された凸部に形成されている切り起こし（図示せず）に係合させる。
【００５２】
次に、回動部材３２を回動させて、突出部３２ｄ、３４ｄの先端間を広げた状態で維持しながら、板部１０２ｂの中央の凹部、３つの凹部１０８ａ及び３つの凹部１０９ａの内部に支線２１０を載置するとともに、突出部３２ｄ、３４ｄの先端間に、支線２１０を位置付ける。
【００５３】
次に、作業員が、回動部材３２の回動状態の維持を解除する。これにより、突出部３２ｄ、３４ｄが支線２１０に当接する。そして、半円筒部材１０４を閉じて、半円筒部材１０２と半円筒部材１０４とを組み合わせることにより、蔓性植物検知装置１が支線２１０に装着される。
【００５４】
［蔓性植物検知装置の動作］
次に、蔓性植物検知装置１の動作について説明する。
地上で成長した蔓性植物が支線２１０に到達すると、蔓性植物は支線２１０に絡みつきながら支線２１０に沿って電柱２００側に延びていく。蔓性植物は、蔓性植物検知装置１に到達した後、拡径部１４のガイドによって円筒部１２の内部に誘引される。蔓性植物が更に成長すると、蔓性植物が円筒部１２の内部の支線２１０に絡みついたり、円筒部１２の内部が蔓性植物で満たされていったりする。これにより、光ファイバ２０が、蔓性植物から圧力を受けて更に湾曲する。
【００５５】
光ファイバ２０が更に湾曲すると、曲げによる光損失が発生するため、受光部５４における受光量が低下する。受光部５４は、受光量に応じた電気エネルギーの信号を検知部５６に出力する。そして、検知部５６が、受光部５４の出力が予め設定した値より低くなった場合に検知信号を出力する。検知信号を受信した通信部５８は、検知信号に電柱２００を特定するための情報を付加して外部出力する。
【００５６】
通信部５８から出力された検知信号は、情報ネットワーク（図示せず）を介して、電力供給会社に送られる。具体例として、電柱２００から電力を引き込んでいる需要家の中にスマートメータ（図示せず）を配備している需要家がいる場合には、蔓性植物検知装置１からの検知信号をその需要家のスマートメータに送信し、スマートメータ経由で電力供給会社に検知信号を送る。
【００５７】
電力供給会社においては、検知信号が発生した蔓性植物検知装置１が設置されている支線２１０に対応する電柱２００を特定し、作業員を現地に派遣する。そして、作業員が支線２１０を調査し、蔓性植物が絡みついている場合には、支線２１０から蔓性植物を撤去する作業を行う。
【００５８】
以上説明したように構成された本実施形態によれば、蔓性植物が支線２１０に絡みつきながら昇っていき、ケース体１０内に入り込むことによって、ケース体１０内の光ファイバ２０が湾曲する。光ファイバ２０が湾曲すると受光部５４における受光量が低下するため、受光部５４からの光電変換による出力が低下する。そして、検知部５６が、受光部５４の電気出力が予め設定した値より低くなった場合に検知信号を出力し、この検知信号を通信部５８が電柱２００を特定するための情報を付加して外部出力する。通信部５８から送信された情報を電力供給会社が受信することによって、電力供給会社側で蔓性植物が絡みついている支線２１０に対応する電柱２００を把握することが可能になり、蔓性植物の除去等の措置を早急に行うことが可能になる。
【００５９】
また本実施形態によれば、ケース体１０の端部に、開口１３を拡大する拡径部１４を有することにより、支線２１０に絡みつきながら昇っていった蔓性植物を、ケース体１０の内部に誘引することが可能になる。
【００６０】
また本実施形態によれば、ケース体１０が透光性を有する部材によって構成されているためケース体１０の内部が明るくなり、ケース体１０の内部が暗いために蔓性植物がケース体１０に入ることを避ける、といったことが防止できる。
【００６１】
以上、本発明の実施形態について説明したが、本発明の実施形態は上述した実施形態に限るものではない。例えば、上述した実施形態によれば、円筒部１２と収納部１６とを一体に構成されているが、円筒部１２と収納部１６とを別体として構成してもよい。また、検知ユニット５０を円筒部１２の内部に設けてもよい。
また、上述した実施形態によれば、光ファイバ２０を支線２１０に巻き付けているが、支線２１０に巻き付けるか否かは、作業員が適宜決定してもよい。
【００６２】
また、円筒部１２の内部に、光ファイバ２０を当接させ、光ファイバ２０を円筒部１２の内部壁面から離して支線２１０に近づけるような凸部を形成してもよい。これにより、ケース体１０内に進入した蔓性植物によって光ファイバ２０を確実に湾曲させることが可能になる。
【００６３】
上述した実施形態においては、受光部５４の受光量が予め設定した値より低くなった場合に、検知部５６が検知信号を出力しているが、それに限らず、まず、作業員が、蔓性植物検知装置１の使用開始当初における受光部５４の受光量を求め、この受光量を基準値として検知部５６の記憶部（図示せず）に設定する。そして、検知部５６が、基準値に対する受光量の低下率を求め、この低下率が予め設定した値より低くなった場合に検知信号を出力するようにしてもよい。上述した実施形態によれば、図１に示すように、光ファイバ２０が初期状態においても湾曲しているが、複数の蔓性植物検知装置１がある場合に、全ての蔓性植物検知装置１の光ファイバ２０が同じように湾曲しているとは限らない。このため、初期状態における受光部５４の受光量が、個々の蔓性植物検知装置１において異なる場合がある。そこで、上述したように、蔓性植物検知装置１の使用開始当初に受光量の基準値を設定し、受光量の低下率に基づいて検知部５６に検知信号を出力させることにより、光ファイバ２０が、初期の湾曲状態から更に湾曲した場合に、検知部５６に検知信号を出力させることが可能になる。
【符号の説明】
【００６４】
１  蔓性植物検知装置
１０  ケース体
１２  円筒部
１３  開口
１４  拡径部
１６  収納部
２０  光ファイバ
３０  ロック部
５０  検知ユニット
５２  発光部
５４  受光部
５６  検知部
５８  通信部
６０  電源部
２００  電柱
２１０  支線
【図１】
2016021788.tif 000003
【図２】
2016021788.tif 000004
【図３】
2016021788.tif 000005
【図４】
2016021788.tif 000006
【図５】
2016021788.tif 000007
【図６】
2016021788.tif 000008